(57)【要約】【課題】  カメラ付き携帯機器のズームレンズとフラッシュライトを被写体方向に連動して遠近に移動させる。【解決手段】  携帯機器用のフラッシュライト用LED付きカメラモジュール１００は、外ケース１１５と中ケース１１６の中心部に配設されたガイドピン１３２と係合するガイド孔１３３を有する連結子Ａ１２６で一体化された複数個の組み合わせからなるズームレンズ１１３とフォーカスレンズが保持され、カメラレンズモジュール１１０とＬＥＤモジュールが実装された回路基板保持台１２４とで構成され、ネジ孔１３１を有する送り台１３０と外ケース１１５と中ケース１１６の外側部に設けた長溝１３７を跨ぐように形成されたＵ字型の連結子Ｂを接続し、アクチュエータ１２９の駆動ネジ１２８によって送り台１３０経由で回路基板保持台１２４とズームレンズ保持台１１４とが被写体方向に連動して遠近移動可能に校正する。【選択図】  図１
2006221098.tif 000002
【特許請求の範囲】
【請求項１】
フラッシュライト用LEDモジュールとカメラ用レンズモジュールが配設された携帯機器において、
前記カメラ用レンズモジュールはフォーカスレンズとズームレンズを有し、前記フラッシュ用LEDモジュールはフラッシュ光を照射する照射レンズを有し、該照射レンズと前記カメラ用レンズモジュールは前記携帯機器に配設され、前記ズームレンズと前記フラッシュライト用LEDモジュールは連動する機構上に配設され、フラッシュライト用ＬＥＤモジュールは前記カメラ用ズームレンズと連動して被写体に対して前記ズームレンズの光軸と平行に遠近に移動可能な構成としたことを特徴とするフラッシュライト用ＬＥＤ付きカメラモジュール。
【請求項２】
前記カメラ用レンズモジュールと前記フラッシュライト用LEDモジュールは夫々、外ケースに配設されたほぼ楕円状の中ケース内に装着され、カメラ用レンズモジュールは、中ケースの内壁に沿って摺動するズームレンズ保持台を有し、該ズームレンズ保持台には複数個の組み合わせからなるズームレンズが保持され、またズームレンズ保持台の直上にはフォーカスレンズ保持台が設けられ、該フォーカスレンズ保持台には外周部が保持されているフォーカスレンズが配設され、フラッシュライト用LEDモジュールは、照射レンズを有し、該照射レンズは外ケースに保持され、中ケース内には、LEDが実装された回路基板を保持する回路基板保持台が配設され、中ケース内を被写体方向に摺動する前記回路基板保持台と前記ズームレンズ保持台とが外ケースの中心部に配設されたガイドピンと係合するガイド孔を有する連結子で一体化され、被写体方向に連動して遠近移動可能な構成としたことを特徴とする請求項１に記載のフラッシュライト用ＬＥＤ付きカメラモジュール。
【請求項３】
前記外ケースと中ケースが構成する外壁の一部を軸方向に切り欠いて長溝を設け、該長溝を跨ぐように回路基板保持台とネジ孔を有する送り台とをU字型の連結子で接続し、前記ネジ孔と係合するアクチュエータの駆動ネジによって送り台経由で該回路基板保持台と前記ズームレンズ保持台とが被写体方向に連動して遠近移動可能な構成としたことを特徴とする請求項１または請求項２に記載のフラッシュライト用ＬＥＤ付きカメラモジュール。
【請求項４】
前記回路基板保持台とネジ穴を有する送り台を中ケース内に一体となるように形成して、前記ネジ孔と係合するアクチュエータの駆動ネジによって送り台経由で被写体方向に遠近移動可能な構成としたことを特徴とする請求項１または請求項２に記載のフラッシュライト用ＬＥＤ付きカメラモジュール。    
【請求項５】
前記カメラ用レンズモジュールと前記フラッシュライト用LEDモジュールは夫々、外ケースに配設されたほぼ楕円状の中ケース内に装着され、カメラ用レンズモジュールは、中ケースの内壁に沿って摺動するズームレンズ保持台を有し、該ズームレンズ保持台には複数個の組み合わせからなるズームレンズが保持され、またズームレンズ保持台の直上にはフォーカスレンズ保持台が設けられ、該フォーカスレンズ保持台には外周部が保持されているフォーカスレンズが配設され、フラッシュライト用LEDモジュールは、照射レンズを有し、該照射レンズは外ケースに保持され、中ケース内には、LEDが実装された回路基板を保持する回路基板保持台が配設され、中ケース内を被写体方向に摺動する前記回路基板保持台と前記ズームレンズ保持台とが外ケースの中心部に配設されたガイドピンと係合するガイド孔を有する連結子で一体化され、一対の送り台と係合するアクチュエータが前期外ケースの近傍に設けられ、被写体方向に連動して遠近移動可能な構成としたことを特徴とする請求項１に記載のフラッシュライト用ＬＥＤ付きカメラモジュール。
【請求項６】
前記フラッシュライト用カメラレンズモジュールのアクチュエータの駆動方式を電磁型、圧電型、静電型の中で、単独または組み合わせて構成することを特徴とする請求項１乃至５のいずれかに記載のフラッシュライト用ＬＥＤ付きカメラモジュール。
【発明の詳細な説明】
【技術分野】
【０００１】
本発明は、カメラ付き携帯機器例えば携帯電話のズームレンズとフラッシュライト用LEDが連動する構成に関するものである。
【背景技術】
【０００２】
最近の携帯機器例えば携帯電話の技術的発展は目を見張るものがあり、カメラの搭載は殆ど標準化されたと言っても過言ではなく、焦点合わせやズーム機構の取り入れ、CCDやC-MOSによる数100万に達する画素数の製品が次々と市場に提供されている。そしてLEDモジュールによるフラッシュライト機構の配設された製品も現れており、限りなく所謂デジタルカメラの機能に近づいている。
【０００３】
しかしながら、現状の製品では、フラッシュライト用LEDはカメラレンズモジュールの近傍のマザーボードに固定して配設されている場合が多い。フラッシュライト用LEDは小型で低消費電力という長所はあるものの、キセノン管を用いたフラッシュライトと比べて光量がはるかに少ない。このため、LEDによる光量不足を改善する取り組みが必要になっている。
【０００４】
従来の代表的な実施例の主要断面図を示す図１０はカメラレンズモジュール２１０が被写体方向矢印ｃ方向に移動できる状態を示し、図１１はカメラレンズモジュール２１０が被写体方向へ最接近した状態から矢印ｄ方向に移動できる場合を示す。図１０、１１において、外ケース２１５に配設されたフラッシュライト用ＬＥＤ付きカメラモジュール２００は、カメラレンズモジュール２１０とフラッシュライト用LEDモジュール２２０とで構成される。カメラレンズモジュール２１０は、外ケース２１５内に配設されて被写体方向に遠近移動ができる円筒状のズームレンズ保持台２１４（フォーカスレンズ２１１を被写体方向に微小移動して焦点合わせする機構が同時に配設されている場合も多いが、その機構と作動の説明は本発明のズーム機構を適用できるので省略する。）に保持された複数個の組み合わせからなるズームレンズ２１３と、ズームレンズ保持台２１４の外周部を摺動する円筒状のフォーカスレンズ保持台２１２に外周部が保持されているフォーカスレンズ２１１とで構成されている。フォーカスレンズ２１１は、ズームレンズ２１３に対応して同一光軸上を被写体方向に遠近移動ができる。フラッシュライト用LEDモジュール２２０は、外ケース２１５に固定され被写体方向に向かって照射光２２６を照射する凸レンズからなる照射レンズ２２１と、外ケース２１５に配設された回路基板保持台２２４上のLEDモジュール２２５とで構成される。LEDモジュール２２５は、回路基板保持台２２４上に配設された回路基板２２３にLED２２２が実装されて形成される。この場合、フラッシュライト用LEDモジュール２２０からの照射光２２６は、LEDモジュール２２５の保持位置が固定されているために、ズームレンズ２１３とフォーカスレンズ２１１が図１０に示すように被写体に接近したり、反対に、ズームレンズ２１３とフォーカスレンズ２１１が図１１に示すように被写体から遠ざかる等々遠近移動して近接または望遠撮影する際も光量の増減も照射角度の拡大縮小も行なわれない。一般に、被写体の近接撮影のときは指向性の少ない広がりのあるフラッシュライトが欲しく、被写体の望遠撮影のときは、指向性の鋭いフラッシュライトが望ましい。なお、被写体からの反射光は図示されていないがカメラレンズモジュール２１０の背後に配設されているＣＣＤまたはＣ−ＭＯＳ等々の映像センサに結像される。
【発明の開示】
【発明が解決しようとする課題】
【０００５】
前述の説明から明らかなように、図１０，１１に示すような従来例ではズーム機構とフラッシュ機構とが協働していなかった。この結果、解決を要する問題点は、被写体の近接撮影のときに指向性の少ない広がりのあるフラッシュライトを得るために照射レンズ２２１とLEDモジュール２２５を近接して配置固定すると、被写体の望遠撮影のときは、指向性の鋭いフラッシュライトが得られず、また、被写体の望遠撮影のときに指向性の鋭いフラッシュライトを得るために照射レンズ２２１とLEDモジュール２２５を離間して配置固定すると、被写体の近接撮影のときは、指向性の少ない広がりのあるフラッシュライトが得られなかった。
【課題を解決するための手段】
【０００６】
本発明は、前述の欠点を除去して、被写体の望遠撮影のときに指向性の鋭いフラッシュライトが得られ、また被写体の近接撮影のときは、指向性の少ない広がりのあるフラッシュライトが得られるズーム機構に協働するフラッシュ機構を提案するものである。
課題を解決するためになされた本発明のフラッシュライト用ＬＥＤ付きカメラモジュールの基本的な手段は、ズーム機構とフラッシュライト機構を協働して位置決めする構成に関するもので、フラッシュライト用LEDモジュールとカメラ用レンズモジュールが配設された携帯機器において、前記カメラ用レンズモジュールはフォーカスレンズとズームレンズを有し、前記フラッシュ用LEDモジュールはフラッシュ光を照射する照射レンズを有し、該照射レンズと前記カメラ用レンズモジュールは前記携帯機器に配設され、前記ズームレンズと前記フラッシュライト用LEDモジュールは連動する機構上に配設され、フラッシュライト用ＬＥＤモジュールは前記カメラ用ズームレンズと連動して被写体に対して前記ズームレンズの光軸と平行に遠近に移動可能な構成としたことを特徴とするものである。
【０００７】
課題を解決するためになされた本発明の基本的な手段の実施例１及び実施例２に係わるフラッシュライト用ＬＥＤ付きカメラモジュールの前記カメラ用レンズモジュールと前記フラッシュライト用LEDモジュールは夫々、外ケースに配設されたほぼ楕円状の中ケース内に装着され、カメラ用レンズモジュールは、中ケースの内壁に沿って摺動するズームレンズ保持台を有し、該ズームレンズ保持台には複数個の組み合わせからなるズームレンズが保持され、またズームレンズ保持台の直上にはフォーカスレンズ保持台が設けられ、該フォーカスレンズ保持台には外周部が保持されているフォーカスレンズが配設され、フラッシュライト用LEDモジュールは、照射レンズを有し、該照射レンズは外ケースに保持され、中ケース内には、LEDが実装された回路基板を保持する回路基板保持台が配設され、中ケース内を被写体方向に摺動する前記回路基板保持台と前記ズームレンズ保持台とが外ケースの中心部に配設されたガイドピンと係合するガイド孔を有する連結子で一体化され、被写体方向に連動して遠近移動可能な構成としたことを特徴とするものである。
【０００８】
また、課題を解決するためになされた本発明の基本的な手段の実施例１及び実施例２に係わるフラッシュライト用ＬＥＤ付きカメラモジュールの構成は、前記外ケースと中ケースが構成する外壁の一部を軸方向に切り欠いて長溝を設け、該長溝を跨ぐように回路基板保持台とネジ孔を有する送り台とをU字型の連結子で接続し、前記ネジ孔と係合するアクチュエータの駆動ネジによって送り台経由で該回路基板保持台と前記ズームレンズ保持台とが被写体方向に連動して遠近移動可能な構成としたことを特徴とするものである。
【０００９】
また、課題を解決するためになされた本発明の基本的な手段の実施例２に係わる本発明のフラッシュライト用ＬＥＤ付きカメラモジュールの構成は、前記回路基板保持台とネジ穴を有する送り台を中ケース内に一体となるように形成して、前記ネジ孔と係合するアクチュエータの駆動ネジによって送り台経由で被写体方向に遠近移動可能な構成としたことを特徴とするものである。
【００１０】
また、課題を解決するためになされた本発明の基本的な手段の実施例１及び実施例３に係わる構成のフラッシュライト用ＬＥＤ付きカメラモジュールは、  前記カメラ用レンズモジュールと前記フラッシュライト用LEDモジュールは夫々、外ケースに配設されたほぼ楕円状の中ケース内に装着され、カメラ用レンズモジュールは、中ケースの内壁に沿って摺動するズームレンズ保持台を有し、該ズームレンズ保持台には複数個の組み合わせからなるズームレンズが保持され、またズームレンズ保持台の直上にはフォーカスレンズ保持台が設けられ、該フォーカスレンズ保持台には外周部が保持されているフォーカスレンズが配設され、フラッシュライト用LEDモジュールは、照射レンズを有し、該照射レンズは外ケースに保持され、中ケース内には、LEDが実装された回路基板を保持する回路基板保持台が配設され、中ケース内を被写体方向に摺動する前記回路基板保持台と前記ズームレンズ保持台とが外ケースの中心部に配設されたガイドピンと係合するガイド孔を有する連結子で一体化され、一対の送り台と係合するアクチュエータが前期外ケースの近傍に設けられ、被写体方向に連動して遠近移動可能な構成としたことを特徴とするものである。
【００１１】
また更に、課題を解決するためになされた本発明のフラッシュライト用ＬＥＤ付きカメラモジュールの実施例１、実施例２及び実施例３に係わる基本的な手段の構成は、
前記フラッシュライト用カメラレンズモジュールのアクチュエータの駆動方式を電磁型、圧電型、静電型の中で、単独または組み合わせて構成することを特徴とするものである。
【発明の効果】
【００１２】
本発明によれば、携帯機器とりわけ携帯電話に搭載されたフラッシュライト用ＬＥＤ付きカメラモジュールを用いて、近接撮影時には指向性の少ない広がりのあるLEDフラッシュライトを、また望遠撮影時には指向性の鋭いLEDフラッシュライトが得られるので撮影の高品質化が図られることである。
【００１３】
また、本発明のフラッシュライト用ＬＥＤ付きカメラモジュールによれば、簡単な機構でズーム機構とLEDモジュール機構を連動して被写体方向に移動できるので優れたコスト/パフォーマンスが達成できることである。
【発明を実施するための最良の形態】
【００１４】
本発明の基本的な構成のポイントは、前記フラッシュライト用ＬＥＤ付きカメラモジュールはズームレンズを有し、前記フラッシュ用LEDはフラッシュ光を照射する照射レンズを有し、該照射レンズと前記カメラ用レンズモジュールは前記携帯機器に配設固定され、前記ズームレンズと前記LEDモジュールは連結または連動する機構上に配設され、フラッシュライト用ＬＥＤモジュールは前記カメラ用ズームレンズと連動して被写体に対して前記ズームレンズの光軸と平行に遠近に移動可能としたことにある。
【実施例１】
【００１５】
以下では、本発明の実施例１を図面に基づいて説明する。図１は本発明実施例１の望遠撮影時の主要断面図である。図２、図３は夫々本発明の実施例１を示す図１のｘｘ線及びｙｙ線断面図である。図４は、本発明の図１の主要構成外観斜視図である。図５は、本発明の図１の主要構成展開斜視図である。図６は、本発明実施例１の近接撮影時の主要断面図である。図７は、本発明実施例２の主要断面構成図である。図８は、本発明実施例３の主要断面構成図である。図９は、本発明によるLED照射光の説明図である。図１０，１１は従来例の説明断面図である。
【００１６】
図１、図２、図３、図４及び図５、図６において、外ケース１１５（ほぼ楕円筒状、方形筒状等々、断面形状は任意でよい。）に配設されたフラッシュライト用ＬＥＤ付きカメラモジュール１００は、カメラレンズモジュール１１０とフラッシュライト用LEDモジュール１２０とで構成される。一体化されたカメラレンズモジュール１１０と回路基板保持台１２４は、外ケース１１５の内側に配設された断面形状が外ケース１１５に見合って、肉厚部１１６Ａ，１１６Ｂを有する中ケース１１６の内壁１１７に沿ってＬＥＤ１２２の光が直接入射しないように僅少の隙間で摺動し、該ズームレンズ保持台１１４には複数個の組み合わせからなるズームレンズ１１３が保持され、そしてズームレンズ保持台１１４の直上には円筒状のフォーカスレンズ保持台１１２が配設され、フォーカスレンズ保持台１１２にはフォーカスレンズ１１１の外周部が保持されている。フォーカスレンズ１１１は、ズームレンズ１１３に対して同一光軸上をズームレンズ１１３と共に被写体方向に遠近移動ができるように、後述するズームレンズ１１３の遠近移動機構と同様の、即ちフォーカスレンズ保持台１１２に新たに設けた送り台を、外ケース１１５の外周に配設した他のアクチュエータのネジで遠近移動させる機構が適用できる。なお、フォーカスレンズ保持台１１２は、焦点合わせのためにフォーカスレンズ１１１を被写体方向に移動できる機構（図示省略）を有していても本発明実施例１の構成には何ら差し支えない。
【００１７】
フラッシュライト用LEDモジュール１２０は、外ケース１１５に配設された被写体方向に向かって照射光１３５を照射する凸レンズからなる照射レンズ１２１と、外ケース１１５の内側に配設された中ケース１１６の内壁１１７に沿って被写体方向に摺動する回路基板保持台１２４上のLEDモジュール１２５とで構成される。LEDモジュール１２５は、回路基板保持台１２４上に配設された回路基板１２３にLED１２２が実装されて形成される。なお、照射レンズ１２１の代わりにフレネルレンズ等で構成しても本名発明を逸脱するものではない。
【００１８】
中ケース１１６と外ケース１１５のほぼ中心部にガイドピン１３２を埋設する。一体化されたズームレンズ保持台１１４と回路基板保持台１２４は、連結子Ａ１２６となる中心部にガイドピン１３２と係合するガイド孔１３３を有し、被写体方向に遠近移動が可能である。
同様にして、外ケース１１５とＬＥＤモジュール１２５側の中ケース１１６が構成する外壁１３６の一部を軸方向に切り欠いて軸方向に長溝１３７（詳細図省略）を設け、該長溝１３７を跨ぐように回路基板保持台１２４と送り台１３０とをＵ字形の連結子Ｂ１２７で接続する。
【００１９】
アクチュエータ１２９の駆動ネジ１２８は送り台１３０のネジ孔１３１と機械的に係合して被写体方向に送り台１３０を、従ってズームレンズ保持台１１４と回路基板保持台１２４を遠近に移動することができる。当然ながらアクチュエータ１２９の駆動方法は電磁型、圧電型または静電型の、単独または組み合わせた方法のいずれでもよい。
【００２０】
図１は、ａ方向に移動可能で被写体を望遠撮影する場合であり照射レンズ１２１からの照射光１３５は指向性が鋭く、ズームレンズ１１１も望遠撮影に見合う位置に位置付けされている。
【００２１】
図１で近接撮影する場合は、アクチュエータ１２９の駆動ネジ１２８によって所定の移動量と速度が決められると、送り台１３０は被写体方向に移動し、従ってズームレンズ保持台１１４と回路基板保持台１２４は同時に移動して図６に示す構成図となる。（ｂ方向に移動可能である。）この結果、被写体を近接撮影する場合に相当して照射レンズ１２１からの照射光１３５は、指向性のない広がりを持ち、ズームレンズ１１３も近接撮影に見合う位置に位置付けされる。    
【実施例２】
【００２２】
実施例２を示す図７の説明では、簡単のために実施例１と共通の符号を用いて実施例１との相違点を中心に説明する。  図７において、外ケース１１５（ほぼ楕円筒状、方形筒状等々、断面形状は任意でよい。）に配設されたフラッシュライト用ＬＥＤ付きカメラモジュール２００は、カメラレンズモジュール１１０とフラッシュライト用LEDモジュール１２０とで構成される。一体化されたカメラレンズモジュール１１０と回路基板保持台１２４は、外ケース１１５の内側に配設された断面形状が外ケース１１５に見合って、肉厚部１１６Ａ，１１６Ｂを有する中ケース１１６の内壁１１７に沿ってＬＥＤ１２２からの光が直接入射しないように僅少隙間で摺動し、該ズームレンズ保持台１１４には複数個の組み合わせからなるズームレンズ１１３が保持され、そしてズームレンズ保持台１１４の直上には円筒状のフォーカスレンズ保持台１１２が配設され、フォーカスレンズ保持台１１２にはフォーカスレンズ１１１の外周部が保持されている。フォーカスレンズ１１１は、ズームレンズ１１３に対して同一光軸上をズームレンズ１１３と共に被写体方向に遠近移動ができる。なお、フォーカスレンズ保持台１１２は、焦点合わせのためにフォーカスレンズ１１１を被写体方向に移動できる機構（図示省略）を有していても本発明実施例２の構成には何ら差し支えない。また、本発明のカメラレンズモジュール１１０のレンズの枚数は図示では3枚であるがそれ以上の複数枚であっても差し支えない。
【００２３】
フラッシュライト用LEDモジュール１２０は、外ケース１１５に配設された被写体方向に向かって照射光１３５を照射する凸レンズからなる照射レンズ１２１と、外ケース１１５の内側に配設されたＬＥＤ中ケース１３４に保持された回路基板保持台１２４上のLEDモジュール１２５とで構成される。LEDモジュール１２５は、回路基板保持台１２４上に配設された回路基板１２３にLED１２１が実装されて形成される。なお、薄型化を図るために、照射レンズ１２１の代わりにフレネルレンズ等で構成しても本発明を逸脱するものではない。
【００２４】
中ケース１１６と外ケース１１５のほぼ中心部にガイドピン１３２を埋設する。一体化されたズームレンズ保持台１１４と回路基板保持台１２４は、連結子Ａ１２６となる中心部にガイドピン１３２と係合するガイド孔１３３を有し、被写体方向に遠近移動が可能である。
【００２５】
一体で形成された回路基板保持台１２４と送り台１４０は、連結子A１２６と接続されて中ケース１１６内に配設される。
【００２６】
アクチュエータ１２９の駆動ネジ１２８は送り台１４０のネジ孔１３７と機械的に係合して被写体方向に遠近に送り台１４０を移動させることができ、従ってズームレンズ保持台１１４と回路基板保持台１２４を遠近に移動することができる。当然ながらアクチュエータ１２９の駆動方法は電磁型、圧電型、静電型の単独または組み合わせのいずれでもよい。
【００２７】
図７は、被写体を望遠撮影する場合であり照射レンズ１２１からの照射光１３５は指向性が鋭く、ズームレンズ１１３も望遠撮影に見合う位置に位置付けされている。
【００２８】
図７で近接撮影する場合は、アクチュエータ１２９の駆動ネジ１２８の所定の移動量と速度が決められると、送り台１３０は被写体方向に移動し、従ってズームレンズ保持台１１４と回路基板保持台１２４は同時に移動してほぼ図６に示す構成図となる。この結果、被写体を近接撮影する場合に相当して照射レンズ１２１からの照射光１３５は、指向性のない広がりを持ち、ズームレンズ１１３も近接撮影に見合う位置に位置付けされる。    
【実施例３】
【００２９】
図８に示す実施例３は、外ケース１１５（ほぼ楕円筒状、方形筒状等々、断面形状は任意でよい。）に配設されたフラッシュライト用ＬＥＤ付きカメラモジュール３００は、カメラレンズモジュール１１０とフラッシュライト用LEDモジュール１２０とで構成される。一対のネジ孔１４９を有する一対の送り台１４３と一体化されたカメラレンズモジュール１１０と回路基板保持台１２４は、外ケース１１５の内側に配設された断面形状が外ケース１１５に見合って、肉厚部１１６Ａ，１１６Ｂを有する中ケース１１６の内壁１１７に沿ってＬＥＤ１２２からの光が直接入射しないように僅少隙間で摺動し、該ズームレンズ保持台１１４には複数個の組み合わせからなるズームレンズ１１３が保持され、そしてズームレンズ保持台１１４の直上には円筒状のフォーカスレンズ保持台１１２が配設され、フォーカスレンズ保持台１１２にはフォーカスレンズ１１１の外周部が保持されている。フォーカスレンズ１１１は、ズームレンズ１１３に対して同一光軸上をズームレンズ１１３と共に被写体方向に遠近移動ができる。なお、フォーカスレンズ保持台１１２は、焦点合わせのためにフォーカスレンズ１１１を被写体方向に移動できる機構（図示省略）を有していても本発明実施例３の構成には何ら差し支えない。外ケース１１５と中ケース１１６の外側に切りかいて形成した長溝１３７、１４７を股ぐように配設された連結子B１２７と連結子C１４６は夫々一対の送り台１３０，１４３と回路基板保持台１２４とズームレンズ保持台１１４とに接続される。送り台１３０，１４３と係合する駆動ネジ１２８，１４４を有するアクチュエータ１２９，１４５が外ケース１１５の近傍（図７では外側）に配設される。
【００３０】
アクチュエータ１２９、１４５の駆動ネジ１２８、１４４は送り台１３０、１４３のネジ孔１３７、１４６と機械的に係合して被写体方向に送り台１３０、１４３を、従って一体化されたズームレンズ保持台１１４と回路基板保持台１２４を遠近に移動することができる。当然ながらアクチュエータ１２９，１４５の駆動方法は電磁型、圧電型、静電型の単独または組み合わせのいずれでもよい。
【００３１】
カメラレンズモジュール１１０と回路基板保持台１２４とを一体化せず連結子Ａ１２６のガイドピン１３２の中心部で軸方向に分離すれば、アクチュエータ１２９、１４５の駆動を同じ移動量や速度にする必要はなく、ズームレンズ保持台１１４と、回路基板保持台１２４とは独立して動かしてもよい。例えば、ズームレンズ保持台１１４を被写体方向に移動したとき、その移動量を見て回路基板保持台１２４は近接撮影用に独立してステップ状に移動することも、またその逆もあってよい。
【００３２】
図９は、照射レンズ１２１を用いない照射光の説明図を示し、LED１２２を反射放物面の焦点近傍に配設して反射板１５０によって被写体方向へ有効な直進光を得るものである。これも、既に説明した回路基板保持台１２４に配設すれば実施例１，２，３いずれへも適用できるものである。
【産業上の利用可能性】
【００３３】
本発明によれば、携帯機器一般に使用が可能で携帯電話はもとより、PDAや複合AV機器等々に幅広い利用分野を期待することができる。
【図面の簡単な説明】
【００３４】
【図１】本発明の実施例１の望遠撮影時の主要断面図である。
【図２】本発明の実施例１を示す図１のｘｘ線線断面図である。
【図３】本発明の実施例１を示す図１のｙｙ線断面図である。
【図４】本発明の図１の主要構成外観斜視図である。
【図５】本発明の図１の主要構成展開斜視図である。
【図６】本発明実施例１の近接撮影時の主要断面図である。
【図７】本発明実施例２の主要断面構成図である。
【図８】本発明の実施例３の主要断面図である。
【図９】本発明のLED照射の説明図である。
【図１０】従来例の説明断面図である。
【図１１】従来例の説明断面図である。
【符号の説明】
【００３５】
１００，２００，３００  フラッシュライト用LED付きカメラモジュール
１１０  カメラレンズモジュール
１１１  フォーカスレンズ
１１２  フォーカスレンズ保持台
１１３  ズームレンズ
１１４  ズームレンズ保持台
１１５  外ケース
１１６  中ケース
１１７  内壁
１３７，１４７  長溝
１２０  フラッシュライト用LEDモジュール
１２１  照射レンズ
１２２  LED
１２３  回路基板
１２４  回路基板保持台
１２５  LEDモジュール
１２６  連結子A
１２７  連結子B
１４６  連結子Ｃ
１２８，１４４  駆動ネジ
１２９，１４５  アクチュエータ
１３０，１４０，１４３  送り台
１３１，１４９  ネジ孔
１３２  ガイドピン
１３３、１３３a、１３３b  ガイド孔
１３５，１５１  照射光
１５０  反射板
【図１】
2006221098.tif 000003
【図２】
2006221098.tif 000004
【図３】
2006221098.tif 000005
【図４】
2006221098.tif 000006
【図５】
2006221098.tif 000007
【図６】
2006221098.tif 000008
【図７】
2006221098.tif 000009
【図８】
2006221098.tif 000010
【図９】
2006221098.tif 000011
【図１０】
2006221098.tif 000012
【図１１】
2006221098.tif 000013